(57)【特許請求の範囲】
【請求項１】
室内機の前面に設けられ、前方に湾曲して形成された透明パネルと、
前記透明パネルの裏面に設けられた複数の凹凸とを備え、
前記複数の凹凸にパール塗料が施され、その上に背景色となる塗料が施され、
前記複数の凹凸のうち、凸の前記透明パネルの表面からの高さを一定とし、更に、凹みの前記透明パネルの表面からの厚みを、当該透明パネルの左右両側のみ他の部分の凹凸の凹みよりも薄くしたことを特徴とする空気調和機。
【請求項２】
前記凹みの前記透明パネルの中央部分の厚みを、当該透明パネルの左右両側の凹凸の凹みと同じ厚さにしたことを特徴とする請求項１記載の空気調和機。
【発明の詳細な説明】
【技術分野】
【０００１】
本発明は、空気調和機の室内機に係わり、さらに詳しくは、室内機の前面に設けられたパネルの構造に関するものである。
【背景技術】
【０００２】
近年、空気調和機の室内機の意匠性を向上させるために、室内機の前面に透明のパネルが用いられたものがある。
例えば、室内機の前面に設けられたオープンパネルの片側に縦長形状の透明の化粧カバーを備えたものがある。その化粧カバーの裏面の発光体と対向する部分にシボ加工が施されている（例えば、特許文献１参照）。
【０００３】
また、室内機の前面に設けられた不透明パネルの裏面に、不透明パネルの三側端から突出するように透明パネルを組み付けたものがある。その透明パネルの周縁部を傾斜角を有した形状に形成して、先端に行くに従って肉厚が薄くなるようにしている（例えば、特許文献２参照）。
【先行技術文献】
【特許文献】
【０００４】
【特許文献１】特開２００９−１９８１０４号公報（第３頁、図４）
【特許文献２】特開２００７−２２５２５３号公報（第４−５頁、図８及び図１０）
【発明の概要】
【発明が解決しようとする課題】
【０００５】
前述した特許文献１に記載の技術では、透明の化粧カバーの一部にシボ加工が施されているため、前方から室内機を見た場合、シボ加工された部分が見えてしまい、室内機自体の意匠性が損なわれるという課題がある。また、特許文献２に記載の技術では、透明パネルを用いることで室内機自体に高級感があるが、透明パネルの他に不透明パネルも使用されているため、組み立てが必要であった。
【０００６】
本発明は、前述のような課題を解決するためになされたもので、第１の目的は、透明パネルのみであっても高級感のある室内機を備えた空気調和機を得ることを目的とする。
第２の目的は、室内機の透明パネルに奥行き感を醸し出せる空気調和機を提供することを目的とする。
【課題を解決するための手段】
【０００７】
本発明に係る空気調和機は、室内機の前面に設けられ、前方に湾曲して形成された透明パネルと、透明パネルの裏面に設けられた複数の凹凸とを備え、複数の凹凸にパール塗料が施され、その上に背景色となる塗料が施され、複数の凹凸のうち、凸の透明パネルの表面からの高さを一定とし、更に、凹みの透明パネルの表面からの厚みを、当該透明パネルの左右両側のみ他の部分よりも薄くしたものである。
【発明の効果】
【０００８】
本発明によれば、透明パネルの裏面に設けられた複数の凹凸のうち、凸の透明パネルの表面からの高さを一定とし、更に、凹みの透明パネルの表面からの厚みを、当該透明パネルの左右両側のみ他の部分よりも薄くしている。この構成により、凸間の稜線の長さが透明パネルの左右両側と他の部分とで異なり、そのため、透明パネルを正面から見た場合に、透明パネルの厚みに奥行き感がでて、立体感を醸し出すことができ、高級感のある室内機を提供できる。
【図面の簡単な説明】
【０００９】
【図１】実施の形態に係る空気調和機の室内機を斜め前から見て示す前面側の斜視図である。
【図２】図１の室内機を斜め後から見て示す背面側の斜視図である。
【図３】図１の室内機の前面に設けられた透明パネルの一部を取り除いて示す斜視図及びパネルの取付構造を示す斜視図である。
【図４】図１の室内機の前面に設けられた中透明パネルの一部を拡大して示す断面図である。
【図５】実施の形態の変形例を示す中透明パネルの部分断面図である。
【発明を実施するための形態】
【００１０】
図１は実施の形態に係る空気調和機の室内機を斜め前から見て示す前面側の斜視図、図２は図１の室内機を斜め後から見て示す背面側の斜視図、図３は図１の室内機の前面に設けられた透明パネルの一部を取り除いて示す斜視図及びパネルの取付構造を示す斜視図である。
【００１１】
本実施の形態の空気調和機の室内機１００は、例えば床面に設置される自立型で、冷房運転時に蒸発器として作用し、暖房運転時に凝縮器として作用する熱交換器、室内の空気を吸気口９ａ、９ｂから吸引し、熱交換器を介して吹出口１２から室内に送風（温風、冷風等）する送風ファン等が搭載されている。
【００１２】
室内機１００の前面には、上透明パネル１、中透明パネル２及び下透明パネル３が設けられている。上透明パネル１は、室内機１００の運転開始の際に下方に移動し、中透明パネル２の裏側に入り込んで吹出口１２を開きルーバー１２ａを露出させる。また、上透明パネル１は、運転停止の際に上方に移動し、吹出口１２を閉じて停止する。上透明パネル１、中透明パネル２及び下透明パネル３は、例えば透明の合成樹脂により構成されている。
【００１３】
室内機１００を前方から見て左側の側面には、左側面パネル４ａと、左側面パネル４ａに隣接して上下に配置された左側面化粧パネル５ａ、６ａと、左側面化粧パネル５ａ、６ａに隣接して上下に配置されたＬ字形状の左側面化粧カバー７ａ、８ａとが設けられている。左側面化粧パネル５ａ、６ａのうち下側の左側面化粧パネル６ａには、前述の吸気口９ａが設けられている。左側面パネル４ａは板金により形成され、左側面化粧パネル５ａ、６ａ及び左側面化粧カバー７ａ、８ａは、不透明の合成樹脂により成形されている。
【００１４】
また、室内機１００の右側の側面には、左側面パネル４ａに対向して配置された右側面パネル４ｂと、左側面化粧パネル５ａ、６ａに対向して配置された右側面化粧パネル５ｂ、６ｂと、左側面化粧カバー７ａ、８ａに対向して配置された右側面化粧カバー７ｂ、８ｂとが設けられている。室内機１００の上部には上パネル１０が設けられ、室内機１００の背面には１枚の背面パネル１１が設けられている。右側面化粧パネル５ｂ、６ｂのうち下側の右側面化粧パネル６ｂには、前述の吸気口９ｂが設けられている。
【００１５】
右側面パネル４ｂは、左側面パネル４ａと同様に板金により形成され、右側面化粧パネル５ｂ、６ｂと右側面化粧カバー７ｂ、８ｂは、左側面化粧パネル５ａ、６ａ及び左側面化粧カバー７ａ、８ａと同様に不透明の合成樹脂により成形されている。上パネル１０及び背面パネル１１は、板金により形成されている。
【００１６】
中透明パネル２の両端部には、図３に示すように、階段状に形成された取付部２１が設けられている。その取付部２１は、左側面化粧パネル５ａ及び右側面化粧パネル５ｂの各端部に設けられた取付部２１とほぼ同形状の支持部５１に係合してネジにより固定されている。その両端の取付部分は、左側面化粧パネル５ａと中透明パネル２に係止された左側面化粧カバー７ａ、右側面化粧パネル５ｂと中透明パネル２に係止された右側面化粧カバー７ｂによって覆われている。
【００１７】
また、下透明パネル３の両端部にも中透明パネル２と同様の取付部が設けられている。その取付部は、前記と同様に、左側面化粧パネル６ａ及び右側面化粧パネル６ｂの各端部に設けられた支持部に係合してネジにより固定されている。その両端の取付部分は、左側面化粧パネル６ａと下透明パネル３に係止された左側面化粧カバー８ａ、右側面化粧パネル６ｂと下透明パネル３に係止された右側面化粧カバー８ｂによって覆われている。
【００１８】
次に、上透明パネル１、中透明パネル２及び下透明パネル３の裏面の構成について説明する。なお、これら透明パネルの裏面の構成については同じであるため、一例として中透明パネル２を取り上げて説明をする。
図４は図１の室内機の前面に設けられた中透明パネルの一部を拡大して示す断面図である。
【００１９】
中透明パネル２のうち室内機１００から露出する面が前方に若干湾曲している。その湾曲した面の裏面には、図４に示すように、シボ加工により成形された複数の凹凸１３が設けられている。例えば、その複数の凹凸１３の形状はほぼ同じで、本パネル２の表面から凹みまでの厚みは全てｄ１となっている。全ての凹凸１３の上面はパール塗料１４が施され、その上に背景色となるホワイト、ワインレッド等のカラー塗料１５が施されている。パール塗料１４は、石の雲母（マイカ）の微粒子が混合された塗料で、光が当たるとその微粒子により光沢が出る。
【００２０】
カラー塗料１５がホワイトの場合、ホワイトを背景色としてパール色の光が凹凸１３により屈折して散乱する。また、カラー塗料１５がワインレッドの場合は、ワインレッドを背景色としてパール色の光が凹凸１３により屈折して散乱する。その光の散乱により、中透明パネル２に対し何れの角度から見てもパール色の輝きが際立って見える。
【００２１】
本実施の形態においては、室内機１００の各透明パネル１、２、３の裏面にシボ加工により成形された複数の凹凸１３を設け、その複数の凹凸１３の各面にパール塗料１４を施し、その上に背景色となるカラー塗料１５を施している。これにより、カラー塗料１５を背景色としてパール色の光が複数の凹凸１３により屈折して散乱するので、室内機１００そのものを何れの角度から見ても各透明パネル１、２、３からのパール色の輝きが際立って見え、高級感のある室内機１００を提供できる。
【００２２】
なお、本実施の形態では、中透明パネル２の裏面に成形された複数の凹凸１３の形状はほぼ同じで、本パネル２の表面から凹みまでの厚みは全てｄ１となっていると述べたが、これに限定されるものではない。例えば図５に示すように、複数の凹凸１３のうち凸の高さを一定とし、本パネル２の両側の厚みをｄ１より薄いｄ２としても良い。また、本パネル２の両側の部分だけでなく中央部分の厚みもｄ２としても良い。凸間の稜線の長さを部分的に異ならせることにより、本パネル２を正面から見た場合、本パネル２の厚みに奥行き感がでて、立体感を醸し出すことができるので、より高級感のある室内機１００を提供できる。
【００２３】
また、本実施の形態では、自立型の室内機１００に適用したことを述べたが、壁掛け型の室内機の前面パネルに適用しても良い。
【符号の説明】
【００２４】
１  上透明パネル、２  中透明パネル、３  下透明パネル、４ａ  左側面パネル、４ｂ  右側面パネル、５ａ、６ａ  左側面化粧パネル、５ｂ、６ｂ  右側面化粧パネル、７ａ、８ａ  左側面化粧カバー、７ｂ、８ｂ  右側面化粧カバー、９ａ、９ｂ  吸気口、１０  上パネル、１１  背面パネル、１２  吹出口、１２ａ  ルーバー、１３  凹凸、１４  パール塗料、１５  カラー塗料、２１  取付部、５１  支持部、１００  室内機。
【図１】
0005264860.tif 000002
【図２】
0005264860.tif 000003
【図３】
0005264860.tif 000004
【図４】
0005264860.tif 000005
【図５】
0005264860.tif 000006